(57)【要約】【課題】従来の筆記具では、インク貯蔵筐部で、大量のインクの貯蔵を可能にしているものの、ペン先へのインク供給は、インク・空気流出入細管を介してなされるため、インクの残量・筆記具の傾斜によっては、充分にペン先にインク供給がなされず、時折、筆記できない状態となる。【解決手段】本発明の第一の筆記具は、ペン先部と、前記ペン先部の後端が挿入され、インクを保持制御するインク保持制御部と、前記インク保持制御部の後端側に設けた多孔質膜と当接する、内部にインクを貯蔵するインク貯蔵部と、前記インク貯蔵部を押圧するスライダ部と、前記インク保持制御部、前記インク貯蔵部及び前記スライダ部を一体的に収納する筐体部とを有し、前記スライダ部は前記筐体に設けられたスライダ溝に沿って前記インク貯蔵部を押圧しながら摺動可能としたものであり、常時安定的に、ペン先部にインクを供給することを可能にするものである。【選択図】図1
2015160327.tif 000002
【特許請求の範囲】
【請求項１】
ペン先部と、前記ペン先部の後端が挿入され、インクを保持制御するインク保持制御部と、前記インク保持制御部の後端側に設けた多孔質膜と当接する、内部にインキを貯蔵するインク貯蔵部と、前記インク貯蔵部を押圧するスライダ部と、前記インク保持制御部、前記インク貯蔵部及び前記スライダ部を一体的に収納する筐体部とを有し、前記スライダ部は前記筐体に設けられたスライダ溝に沿って前記インク貯蔵部を押圧する様に摺動可能としたことを特徴とする筆記具。
【請求項２】
前記筐体部には、複数の係止部が設けられており、前記スライダ部は、前記係止部によって段階的に係止されることを特徴とする請求項１記載の筆記具。
【発明の詳細な説明】
【技術分野】
【０００１】
本発明は筆記具、特に、インクの流量を調整できるインク浸透型筆記具に関する。
【背景技術】
【０００２】
日常生活において、マジックペン、ホワイトボードマーカーなど、ペン先が親水性を有する筆記具を使用する機会が多い。これら筆記具は、ペン先をインク含浸の親水性繊維に接触させて、この繊維部分から、一定のインクをペン先に供給するものである。しかし、これら筆記具は、太い文字を書くことを要求されるので、必然的に、ペン先が空気に露出する面積を多くすることとなり、インクの蒸発が多くなることから、比較的短時間で、ペン先が乾燥することが多く、必要な時に、使用できない場合がある。これは、インクを親水性繊維に含浸させるものであり、インクの保存量が少ないことが一因である。
【０００３】
そこで、供給インクの量を増やす為に、インクをタンクの様な貯蔵部に保存するタイプの筆記具が提案されている（特許文献１）。この特許文献１に示される筆記具は、インクを貯蔵するインク貯蔵筐体と、このインク貯蔵筐体から供給されたインクの量を制御するインク保持制御部を備えることにより、長時間一定のインク供給を可能にしたものである。つまり、インク貯蔵筐部で、大量のインクの貯蔵を可能にしている。
【先行技術文献】
【特許文献】
【０００４】
【特許文献１】特開2002-172886号公報
【発明の概要】
【発明が解決しようとする課題】
【０００５】
特許文献１に示される様な従来の筆記具では、インク貯蔵筐部で、大量のインクの貯蔵を可能にしているものの、ペン先へのインク供給は、インク・空気流出入細管を介してなされるため、インクの残量・筆記具の傾斜によっては、充分にペン先にインク供給がなされず、時折、筆記できない状態となる。
そこで、本発明の筆記具は、必要に応じて、インク貯蔵筐部をスライダ部で押圧することにより、安定的にペン先にインク供給を可能としたものである。
【課題を解決するための手段】
【０００６】
本発明の第一の筆記具は、ペン先部と、前記ペン先部の後端が挿入され、インクを保持制御するインク保持制御部と、前記インク保持制御部の後端側に設けた多孔質膜と当接する、内部にインクを貯蔵するインク貯蔵部と、前記インク貯蔵部を押圧するスライダ部と、前記インク保持制御部、前記インク貯蔵部及び前記スライダ部を一体的に収納する筐体部とを有し、前記スライダ部は前記筐体に設けられたスライダ溝に沿って前記インク貯蔵部を押圧しながら摺動可能としたものであり、常時安定的に、ペン先部にインクを供給することを可能にするものである。
また、本発明の第二の筆記具は、第一の筆記具において、前記筐体部には、複数の係止部が設けられており、前記スライダ部は、前記係止部によって段階的に係止されることを特徴とするものであり、段階的・安定的にインク貯蔵部を押圧することを可能とするものである。
【発明の効果】
【０００７】
本発明によれば、インキ貯蔵部をスライダ部により強制的に押圧するので、インク残量や、筆記具の傾きに関係なく、安定的にペン先部にインク供給が出来るので、長時間筆記を可能な筆記具を提供できる。  
また、本発明によれば、筐体に複数の係止部を設け、インク残量に応じて、スライダ部を、係止する係止部を選択することにより、安定・確実にインク供給出来る筆記具を提供出来る。
【図面の簡単な説明】
【０００８】
【図１】本発明の筆記具の全体を示す横断面図
【図２】本発明の筆記具の上方外観を示す外観図
【図３】図１のD-D’断面を示す断面図
【発明を実施するための形態】
【０００９】
以下、本発明の実施の形態を、図面を用いて説明する。
図１は本発明の筆記具の全体を示す横断面図で、図２は本発明の筆記具の上方外観を示す外観図、図３は図１のD-D’断面を示す断面図である。本発明の筆記具は、概ね３つの部分よりなる。即ち、インクを液体の状態で貯蔵するインク貯蔵部（Ａ）と、インク貯蔵部（Ａ）からスライダ部２の移動により流量が調整されたインクを一時的に保持すると共にインクの流量を調整してペン先部（Ｃ）へ供給するインク保持制御部（Ｂ）と、ペン先部（Ｃ）である。
図１〜図３において、１はインク貯蔵筐体、２はスライダ部、３は係止部、４はインク、５は超撥水処理を施した多孔質膜、６は親水基を持たない繊維、７は親水基を持った繊維、８は親水性不織布、９は超撥水処理を施した多孔質膜、１０はペン先保持部、１１はキャップ、１２はペン先、１３はキャップ内空気である。
【００１０】
インク貯蔵部（Ａ）のインク貯蔵筐体１は、液体のインク４を格納し蒸発等を防ぎインク４の特性を保持・確保する。インク貯蔵筐体１は円筒状であり、一端は閉じられ、他端は超撥水処理が施された多孔質膜５で仕切られている。このインク貯蔵筐体１は、例えば可撓性チューブなどで作られても良い。インク貯蔵筐体１内の液体のインク４は、色素として染料系、顔料系のもの、液体として水性、溶剤性等のもの、バインダーとしてそれぞれのインクに適した樹脂その他が含まれ、他に添加剤として各インクに適したものが含まれる。
超撥水処理を施した多孔質膜５は、一方の面がインク保持制御部（Ｂ）の後端側に接するように設けられ、他方がインク貯蔵部（Ａ）のインク４に直接面している。超撥水処理を施した多孔質膜５は、繊維のフィラメント１本１本の表面をナノ粒子の炭化フッ素で覆うことで、驚異的な撥水性を発揮する超撥水加工が施されており、また、膜全体をコーティングしていないため、通気性を損なわず、インク４の蒸発による内圧の上昇を防ぐ効果もある。このような超撥水処理を施した多孔質膜５として、例えば朝倉染布株式会社製の超撥水風呂敷「ながれ」（登録商標）と称される風呂敷がある。
【００１１】
インク保持制御部（Ｂ）は、異形断面を有し且つインクに対する超流動性があって親水基を持たない繊維６と、超親水性の親水基を持った繊維７とを組み合わせて中綿とし、筆記具の軸方向に略円柱形状に構成したものである。
超親水性の親水基を持った繊維７は、例えば中心のポリエチレンテレフタレート（ポリエステル）繊維の周囲に、親水基をもったＥＢＯＨ樹脂をコーティングしたものである。ＥＢＯＨ樹脂は、ポリビニールアルコールとポリエチレンを共重合させた高分子である。このような超親水性の親水基を持った繊維７として、例えば株式会社クラレ製の「ソフィスタ／ＳＯＰＨＩＳＴＡ」（登録商標）と称される繊維がある。
上記のように、インク保持制御部（Ｂ）の中綿は、異形断面を有し且つインク４に対する超流動性があって親水基を持たない繊維６と、超親水性の親水基を持った繊維７とを略均一に組み合せ、熱融着等により融着綿としたものである。
【００１２】
インク保持制御部（Ｂ）のペン先部（Ｃ）側には、一方の面がインク保持制御部（Ｂ）の中綿に接するようにかつ他方の面がペン先１２に接するように親水性不織布８が設けられ、さらに超撥水処理加工した多孔質膜９がこの親水性不織布８の他方の面に接し且つペン先１２が貫通するように設けられる。ペン先１２は筒状のペン先保持部１０の軸方向の孔に挿入されて保持される。１１はペン先保持部１０に嵌合するキャップ、１３はキャップ１１内の空気である。
【００１３】
上述のように、本発明では、スライダ部２および複数の係止部３により段階的に係止されるスライダ溝を設けることで、安定的にペン先１２にインク４の供給を可能としたものである。スライダ部２をインク貯蔵筐体１に設けられたスライダ溝に沿ってスライドさせると軸方向に圧力が掛かり、超撥水加工の多孔質膜５に圧力がかかる。この超撥水加工の多孔質膜５は、圧力負荷がかからなければ親水性のインク４が通過しない加工が施されている。したがって、スライダ部２をスライドさせると、超撥水加工の多孔質膜５からインク保持制御部（Ｂ）へと親水性のインク４を流入させることが可能である。インク保持制御部（Ｂ）へと流入したインク４は、異形断面を有し且つインク４に対する超流動性があり親水基を持たない繊維６と、超親水性の親水基を持った繊維７とを組み合わせて構成された中綿へと流入し、毛細管現象によりこれらの超流動性があり親水基を持たない繊維６に沿って速やかに親水性不織布８へと流れ、ペン先１２へと達する。
【００１４】
以上のように、本発明によれば、インク貯蔵部（Ａ）をスライダ部２により強制的に押圧し、さらにインク貯蔵筐体１に複数の係止部３を設け、インク４の残量に応じてスライダ部２を係止する係止部３を選択することができるため、インク残量や筆記具の傾きに関係なく、安定・確実にペン先部にインク供給が出来るので、長時間筆記が可能な筆記具を提供できる。
【産業上の利用可能性】
【００１５】
本発明は、マジックペン、ホワイトボードマーカーなどに使用されば、長時間安定にインクを供給でき、また、筆記具を傾斜させてもインキの供給が途切れることがない筆記具を提供出来るので、インク浸透型筆記具の応用が拡大する可能性を有するものである。
【符号の説明】
【００１６】
Ａ  インク貯蔵部
Ｂ  インク保持制御部
Ｃ  ペン先部
１  インク貯蔵筐体
２  スライダ部
３  係止部
４  インク
５  多孔質膜（超撥水処理）
６  親水基を持たない繊維
７  親水基を持った繊維
８  親水性不織布
９  多孔質膜（超撥水処理）
１０  ペン先保持部
１１  キャップ
１２  ペン先
１３  キャップ内空気
【図１】
2015160327.tif 000003
【図２】
2015160327.tif 000004
【図３】
2015160327.tif 000005
【手続補正書】
【提出日】平成26年2月26日(2014.2.26)
【手続補正１】
【補正対象書類名】明細書
【補正対象項目名】０００８
【補正方法】変更
【補正の内容】
【０００８】
【図１】本発明の筆記具の全体を示す横断面図
【図２】本発明の筆記具の上方外観を示す外観図
【図３】図１のD-D断面を示す断面図
【手続補正２】
【補正対象書類名】明細書
【補正対象項目名】０００９
【補正方法】変更
【補正の内容】
【０００９】
以下、本発明の実施の形態を、図面を用いて説明する。
図１は本発明の筆記具の全体を示す横断面図で、図２は本発明の筆記具の上方外観を示す外観図、図３は図１のD-D断面を示す断面図である。本発明の筆記具は、概ね３つの部分よりなる。即ち、インクを液体の状態で貯蔵するインク貯蔵部（Ａ）と、インク貯蔵部（Ａ）からスライダ部２の移動により流量が調整されたインクを一時的に保持すると共にインクの流量を調整してペン先部（Ｃ）へ供給するインク保持制御部（Ｂ）と、ペン先部（Ｃ）である。
図１〜図３において、１はインク貯蔵筐体、２はスライダ部、３は係止部、４はインク、５は超撥水処理を施した多孔質膜、６は親水基を持たない繊維、７は親水基を持った繊維、８は親水性不織布、９は超撥水処理を施した多孔質膜、１０はペン先保持部、１１はキャップ、１２はペン先、１３はキャップ内空気である。